Podtech/llm-jp-corpus-v4-ja_patent huggingface dataset:
(57)【要約】【課題】箱の蓋部に直接花をアレンジする事ができ、内部は物入れとして使用可能なオリジナル性溢れる箱を提供する。【解決手段】箱内部は物入れとして使用できる様、二重構造にした箱の蓋部分に、造花類やプリザーブドフラワーを入れ込む為に必要な深さの溝を作り、フラワーアレンジメントと実用性のある箱を一体化させた、他にはないオリジナル物入れが出来上がる。【選択図】図１
0003142285.tif 000002
【実用新案登録請求の範囲】
【請求項１】
箱の蓋の溝部分に造花類やプリザーブドフラワー等のアレンジを施こす事ができ、箱内部は物入れとして使用できる様二重構造となっている溝付き二重構造アレンジメント箱である。
【請求項２】
請求項１に記載の溝付き二重構造アレンジメント箱の、箱、溝部分の形状、素材、及び大小はこの限りではない。
【考案の詳細な説明】
【技術分野】
【０００１】箱の蓋部分に溝を作り、造花類やプリザーブドフラワー等のアレンジを施せるようにし、箱内部は物入れとして使用出来る様、二重構造に考案した。
【背景技術】
【０００２】箱の蓋に直接花をアレンジできるような、オリジナル性溢れる特別な箱が見当たらない。
【考案の開示】
【考案が解決しようとする課題】
【０００３】箱自体を魅力的な物とし、造花類やプリザーブドフラワー等をアレンジし箱本体と一体化させた実用性とオリジナル性を加味した物入れを作成可能とする。
【課題を解決するための手段】
【０００４】箱の蓋に溝を作り、花を入れ込む為に必要な深さに考案し、内部は物入れとして使用できる様、二重構造とした。
【考案の効果】
【０００５】蓋部分に溝を作る事により、箱の蓋に好みに応じて直接造花類やプリザーブドフラワー等をアレンジする事が可能であり、他には無いオリジナルの物入れが出来上がる。
請求項２に記載されているように、箱の形状、素材、大小に限らず様々な溝付き二重構造アレンジメント箱の製品化が可能である。
【考案を実施するための最良の形態】
【０００６】蓋の溝部分に花をアレンジする為に必要なスポンジ製のアレンジフォームを入れた上で造花類やプリザーブドフラワーを入れ込む。
【実施例】
【０００７】蓋の溝部分に造花類やプリザーブドフラワー等をアレンジし、箱の中はアクセサリー入れや整理箱として使用する。
【図面の簡単な説明】
【０００８】
【図１】四角い箱の場合の全体斜視図である。
【図２】四角い箱の場合の蓋断面図である。
【図３】四角い箱の場合の箱内部斜視図である。
【図４】フラワーアレンジメントを施した際の全体参考図
【符号の説明】
【０００９】１  蓋部分
２  溝部分
３  収納部分
４  フラワーアレンジメント部分
【図１】
0003142285.tif 000003
【図２】
0003142285.tif 000004
【図３】
0003142285.tif 000005
【図４】
0003142285.tif 000006
【手続補正書】
【提出日】平成19年11月5日(2007.11.5)
【手続補正１】
【補正対象書類名】実用新案登録請求の範囲
【補正対象項目名】全文
【補正方法】変更
【補正の内容】
【実用新案登録請求の範囲】
【請求項１】
箱の上蓋中央にある溝部分に造花類やプリザーブドフラワー等のアレンジを施す事ができ、箱の下部は物入れとして使用できる様、二重構造となっている溝付き二重構造アレンジメント箱。
【請求項２】
請求項１記載の二重構造アレンジメント箱に関し、今回申請図面の溝付き二重構造アレンジメント箱の形状は長方形で、サテンの布貼りであるが丸型、正方形、三角形等の長方形以外の形や他の布地を使用する場合もある為、形状、素材、及び大小の大きさはこの限りではない。
【手続補正書】
【提出日】平成20年3月4日(2008.3.4)
【手続補正１】
【補正対象書類名】実用新案登録請求の範囲
【補正対象項目名】全文
【補正方法】変更
【補正の内容】
【実用新案登録請求の範囲】
【請求項１】
箱の上蓋中央にある溝部分に造花類やプリザーブドフラワー等のアレンジを施す事ができ、箱の下部は物入れとして使用できる様、二重構造となっている溝付き二重構造アレンジメント箱。
(57)【要約】      （修正有）【課題】トートバッグ、レジ袋が手に食い込まず、どちらをグリップにかけても進行方向に平行になり歩行の邪魔にならないコンパクトなグリップを提供する。【解決手段】レジ袋の持ち手をこの溝２にかける。またトートバッグの持ち手をこの本体１に何回か巻きつける。このようにするとレジ袋あるいはトートバッグは体と平行になり歩行が楽になる。【選択図】図１
0003142288.tif 000002
【実用新案登録請求の範囲】
【請求項１】
本体の両端に溝を持つグリップ。
【考案の詳細な説明】
【技術分野】
【０００１】レジ袋やトートバッグを楽に持てるようにする為のグリップに関するものである。
【背景技術】
【０００２】従来買い物をした時に使う袋は持ちにくく、持ち手が手に食い込み手が痛かった。
これを防止するためのグリップも有るが、柔構造であったり、持ち手を挟むものやグリップと持ち手をかける部分が分かれており大型でかさばっている。トートバッグを持ったときそのどちらかが進行方向に対して９０度ぐらいの角度を持ち膝に当たり歩きにくかった。
【考案の開示】
【考案が解決しようとする課題】
【０００３】解決しようとする課題は、トートバッグ、レジ袋が手に食い込まず、どちらをグリップにかけても進行方向に平行になり歩行の邪魔にならないコンパクトなグリップを提供することである。
【課題を解決するための手段】
【０００４】その方法を図を示しながら説明すると、図１に示すように本体１の両端に溝２を設ける。
【考案の効果】本考案によればレジ袋４の持ち手５をこの溝２にかける。またトートバグ６の持ち手５をこの本体１に何回か巻きつける。このようにするとレジ袋４あるいはトートバッグ６は体と平行になり歩行が楽になる。トートバッグ１は肩にかけるタイプのものがあるが、手で持った時持ち手５が長すぎて不便であるが、持ち手を巻き付ける事により短くなり背の低い人も歩き易い。
グリップが有るのでベルトが手に食い込まなくなり手が痛くならない。また重さも分散するのでかなり軽くなったような気がする。
【考案を実施するための最良の形態】
【０００５】図１のように本体１の両端に溝２を設ける。
【実施例】
【０００６】考案の実施の形態例について説明すると、図１は本体１の両端に溝２を設けたものである。【０００７】この溝２を幅広くまた深くしておけば袋の持ち手が滑らなくなり、外れたり中央によって来て手を圧迫する事が無い。【０００８】レジ袋に使用する方法を図３で説明すると、溝２にレジ袋４の持ち手５をかけて本体１を持ち上げる。【０００９】トートバッグに使用する方法を図４で説明すると。トートバッグ６の持ち手５を本体１に何回か巻き付けて本体１を持ち上げる。
このようにすると取って５の長さを調節する事もできる。
【産業上の利用可能性】
【００１０】重たい袋が楽に持てるようになる。
【図面の簡単な説明】
【００１１】
【図１】本体の両端に溝を設けた図である。
【図２】本体の両端を高くした図である。
【図３】レジ袋に使用した時の図である。
【図４】トートバッグに使用した時の図である。
【符号の説明】
１  本体  ２  溝  ３  突起  ４  レジ袋  ５  持ち手  ６  トートバッグ
【図１】
0003142288.tif 000003
【図２】
0003142288.tif 000004
【図３】
0003142288.tif 000005
【図４】
0003142288.tif 000006
【手続補正書】
【提出日】平成20年2月26日(2008.2.26)
【手続補正１】
【補正対象書類名】実用新案登録請求の範囲
【補正対象項目名】全文
【補正方法】変更
【補正の内容】
【実用新案登録請求の範囲】
【請求項１】
円筒形の本体の両端にそれを一周する様に設けた溝を持つグリップ
(57)【要約】      （修正有）【課題】配管等の廃熱を保温するだけでなく、電気エネルギーとして回収可能にする熱電変換モジュール（ゼーベック素子）を提供する。【解決手段】平板状の非導電体の台床にＰ型、Ｎ型の半導体を交互に配置した熱電池シート、その上に電気的に絶縁することを目的とする絶縁シート、断熱を目的とする保温材、次に絶縁シート、その上に熱電地シートを配置し、上下の熱電地シートを電気的に結線する。【選択図】図４
0003142284.tif 000002
【実用新案登録請求の範囲】
【請求項１】
熱電変換モジュールを配管などの保温材に応用して廃熱を電気エネルギーとして回収する装置。
【考案の詳細な説明】
【技術分野】
【０００１】配管等の廃熱を保温するだけでなく熱電変換モジュール（ゼーベック素子）を用い電気エネルギーとして回収可能にする。
【背景技術】
【０００２】工場や発電所の廃熱回収は廃熱回収ボイラや腹水予熱器などを取り入れたり熱併給システムを導入したりしてきた。それでも利用しきれない熱は回収できずにすてられているのが現状である。  また熱回収が目的ではなく冷却水等の媒体を用いて熱交換を行うだけのものもある。
従来熱回収されなかった部分での熱回収を可能にし、冷却水等の媒体の使用量を抑える事は省エネや環境配慮の為にも技術の開発が必要とされている。
【考案の開示】
【考案が解決しようとする課題】
【０００３】工場や発電所の廃熱回収で利用しきれない熱は回収できずにすてられている。また熱回収が目的ではなく冷却水等の媒体を用いて熱交換を行うだけのものもある。
【課題を解決するための手段】
【０００４】配管等の廃熱を保温するだけでなく熱電変換モジュール（ゼーベック素子）を用い電気エネルギーとして回収可能にする。
【考案の効果】
【０００５】従来熱回収されなかった部分での配管等の廃熱を保温するだけでなく熱電変換モジュール（ゼーベック素子）を用い電気エネルギーとして回収可能にする。また冷却水等の媒体の使用量を抑える事も可能にする。
【考案を実施するための最良の形態】
【０００６】配管等の保温材に熱電変換モジュールシートの組み合わせを用い、ゼーベック効果を利用して廃熱回収する。
【実施例】
【０００７】図４は本考案における熱電変換モジュールシートの使用例である。
この図において７の発熱体（配管等の表面）に熱電変換モジュールシートを配置する。なお熱電変換モジュールシートは配管等の曲面にも対応するよう柔軟なものとし、６の台床は非導電体である。【０００８】電気的に絶縁する為、８の絶縁シートを配置する。【０００９】９の保温材を配置する。【００１０】熱電変換モジュールシートを配置し、これを熱電変換装置として機能する様にシートの端面で１０の導電線を用い配線する。【００１１】１１の保護カバーを配置する。  なおこの保護カバーは冷却効果を高め７の発熱体の温度差を高める為にラジエータのような形状とする。【００１２】負荷を接続する。
【産業上の利用可能性】
【００１３】本考案は配管等の廃熱を保温するだけでなく熱電変換モジュール（ゼーベック素子）を用い電気エネルギーとして回収可能にする。
また熱回収が目的ではなく冷却水等の媒体を用いて熱交換を行うだけの部分での熱回収を可能にし、冷却水等の媒体の使用量を抑える事で省エネや環境配慮の効果も期待できる。
【図面の簡単な説明】
【００１４】
【図１】熱電変換モジュールの原理である。
【図２】熱電変換モジュールシートの平面図である。
【図３】熱電変換モジュールシート断面図である。
【図４】熱電変換モジュールシート使用例である。
【符号の説明】
【００１５】  １：導体
２：Ｐ型半導体置
３：Ｎ型半導体置
４：吸熱
５：負荷
６：台床（非導電体）
７：発熱体
８：絶縁シート
９：保温材
１０：導電線
１１：保護カバー
【図１】
0003142284.tif 000003
【図２】
0003142284.tif 000004
【図３】
0003142284.tif 000005
【図４】
0003142284.tif 000006
【手続補正書】
【提出日】平成19年9月26日(2007.9.26)
【手続補正１】
【補正対象書類名】実用新案登録請求の範囲
【補正対象項目名】全文
【補正方法】変更
【補正の内容】
【実用新案登録請求の範囲】
【請求項１】
図４に示すように非導電体の台床にＰ型、Ｎ型の半導体を配置した熱電池シート（図３）の間に電気的に絶縁する層と断熱を目的とする保温材を配置し、上下の熱電池シートを電気的に結線したゼーベック（ペルチェ）素子。
【手続補正書】
【提出日】平成20年2月25日(2008.2.25)
【手続補正１】
【補正対象書類名】実用新案登録請求の範囲
【補正対象項目名】全文
【補正方法】変更
【補正の内容】
【実用新案登録請求の範囲】
【請求項１】
平板状の非導電体の台床にＰ型、Ｎ型の半導体を交互に配置した熱電池シート、その上に電気的に絶縁することを目的とする絶縁シート、断熱を目的とする保温材、次に絶縁シート、その上に熱電池シートを配置し、上下の熱電池シートを電気的に結線したゼーベック素子またはペルチェ素子。
(57)【要約】      （修正有）【課題】組み立て分解が快速で、パッドの取替えに適した座椅子パッドを提供する。【解決手段】フレーム周縁内側は係接部３１を有する。係接部３１は適当な位置の上縁部に若干の係制塊３２を有する。パッドは、周縁に係合部４１を有し、係合部４１は内縮する弾性を有し、係接部３１に係接する。【選択図】図３
0003142202.tif 000002
【実用新案登録請求の範囲】
【請求項１】
座椅子パッドであって、フレームとパッドからなり、
前記フレーム周縁内側は係接部を有し、前記係接部は適当な位置の上縁部に若干の係制塊を有し、
前記パッドは、周縁に係合部を有し、前記係合部は内縮する弾性を有し、前記係合部に係接し、
上述のような構造により、前記パッドと前記フレームは、組み立て分解が快速で、パッドの取替えに適することを特徴とする座椅子パッド。
【請求項２】
前記係接部は、上下端に係槽を有し、左右両側は係合面を有することを特徴とする請求項１に記載の座椅子パッド。
【請求項３】
前記係接部の上端の上縁部は係制塊を有し、左右両側の上縁部は若干の係制塊を有することを特徴とする請求項１に記載の座椅子パッド。    
【請求項４】
前記フレームの下端中央部の係接部外側に隣接する箇所に凹部を有し、係合塊を螺接固定し、前記係合塊内側底端部は係合槽を有することを特徴とする請求項１に記載の座椅子パッド。
【請求項５】
前記パッド係合部は係制棒であることを特徴とする請求項１に記載の座椅子パッド。
【考案の詳細な説明】
【技術分野】
【０００１】
本考案は座椅子パッドに関するものであって、特に、組み立て分解が快速で、パッドの取替えに適した座椅子パッドに関する。
【背景技術】
【０００２】
公知の座椅子パッドは、図１、図２で示されるように、フレーム１は平行な接合棒１１を有し、接合棒１１頂部内側は、嵌槽１２、及び、組接孔１３を凹設する。パッド２は両側側面にそれぞれ接合部２１を有し、接合部２１は係合槽２２、及び、組接孔２３を凹設して、接合部２１が接合棒の嵌槽１２内に嵌入され、更に、ねじ２０により、組接孔１３、２３を経て、フレーム１とパッド２を固接している。これにより、組み立て分解が簡単で、快速である。
【０００３】
しかし、上述の座椅子パッドは、ねじ２０を有するので、取り外し、組み立て過程で、ドライバー等の工具により達成しなければならない。また、ねじは遺失しやすい欠点もある。
【考案の開示】
【考案が解決しようとする課題】
【０００４】
本考案の目的は、組み立て分解が快速で、パッドの取替えに適した座椅子パッドを提供し、上述の問題を解決することにある。
【課題を解決するための手段】
【０００５】
上述の目的を達成するため、本考案の構造は、フレームとパッドからなる。フレーム周縁内側は係接部を有する。係接部は適当な位置の上縁部に若干の係制塊を有する。パッドは、周縁に係合部を有し、係合部は内縮する弾性を有し、係合部に係接する。上述のような構造により、パッドとフレームは、組み立て分解が快速で、パッドの取替えに適する。
【考案の効果】
【０００６】
本考案により、組み立て分解が快速で、パッドの取替えに適した座椅子パッドが得られる。
【考案を実施するための最良の形態】
【０００７】
図３〜図５で示されるように、本考案の構造は、フレーム３とパッド４からなる。フレーム３は、上が狭く、下が広く、中間が孤形で、フレーム３周縁内側は係接部３１を有する。係接部３１は上下下端に半円形の係槽３１１を有する。左右両側は、係合面３１２を有し、且つ、係接部３１の適当な位置の上縁部に若干の係制塊３２を有し、即ち、上端の上縁部は係制塊３２を有し、左右両側の上縁部はフック状の面を有する。パッド４は、上が狭く、下が広く、且つ、中間が弧状のネットからなり、パッド４周縁に係合部４１を縫合し、弾性硬質の金属棒を囲繞してなり、係制棒を形成して、係合部４１（即ち、係制棒）は内縮する弾性を有する。
【０００８】
上述の構造を組み合わせる時、パッド４（即ち、係制棒）は内縮する弾性を有するので、パッド４上下端と左右側の一端側の係合部４１をフレームの係接部３１内に置入し、係槽３１１と係合面３１２上に係接し、係制塊３２により固定し、その後、パッド４上下端と左右側のもう一端側を施力して内縮させれば、係合部４１が係接部３１内に置入され、係槽３１１と係合面３１２上に係接され、係制塊３２により固定し、パッド４をフレーム３に組み立てる作業を完成する。反対に、パッド４の上下端と左右端の一端側は、施力して係合部４１を内縮させ、係槽３１１、係合面３１２、及び、係制塊３２から脱離すれば、パッド４がフレーム３から分離でき、取り外し作業が完成する。
【０００９】
上述の説明から分かるように、本考案の取り外し、組立作業は簡単、快速で、取替えが便利である。
【００１０】
図６、図７で示されるように、もう一つの実施例において、本考案のフレーム３下端中央部位、且つ、係合面３１’外側に隣接する位置に凹部３３を開設して、係合塊３４を固定する。係合塊３４内側端底部は半円形、或いは、円弧形の係合槽３５を有して、係槽３１１’と上下に対応し、パッドと係合部４１を上下に固定し、パッド４とフレーム３’の組み立てを完成し、上述の実施例と相同の効果を達成する。
【００１１】
本考案のもう一つの実施例の係合塊３４は、ねじによりフレーム凹部３３と螺接固定するので、取り外し時に、まず、係合塊３４を取り外し、パッド４を施力して係合部４１を内縮させ、係槽、係合面、及び、係制塊から脱離させ、パッド４をフレーム３’上から分離する。
【図面の簡単な説明】
【００１２】
【図１】公知のパッド組み立て構造の立体分解図である。
【図２】公知のパッド組み立て構造の組み合わせ断面図である。
【図３】本考案の実施例の立体分解図である。
【図４】本考案の実施例の縦方向の組み合わせ断面図である。
【図５】本考案の実施例による横方向の組み合わせ断面図である。
【図６】本考案のもう一つの実施例による立体分解図である。
【図７】本考案のもう一つの実施例による縦方向の組み合わせ断面図である。
【符号の説明】
【００１３】
１            フレーム
２            パッド
３、３’      フレーム
４            パッド
１１          接合棒
１２          嵌槽
１３          組接孔
２０          ねじ
２１          接合部
２２          係合槽
２３          組接孔
３１、３１’  係接部
３２          係制塊
３３          凹部
３４          係合塊
３５          係合槽
４１          係合部
３１１、３１１’  係槽
３１２            係合面
【図１】
0003142202.tif 000003
【図２】
0003142202.tif 000004
【図３】
0003142202.tif 000005
【図４】
0003142202.tif 000006
【図５】
0003142202.tif 000007
【図６】
0003142202.tif 000008
【図７】
0003142202.tif 000009
(57)【要約】      （修正有） 【課題】パンティーストッキングでありながら、ソックスを重ね履きしてもすっきりとするパンティーストッキングの足部構造を開発・提供する。【解決手段】パンティーストッキング１において、左右の足先部２の踵部分２ａを残して、爪先方向２ｂ部分を、それぞれカットしたことを特徴とするパンティーストッキングの足部構造であり、ソックスと重ねて履いても履き心地のよいものである。【選択図】図２
0003142210.tif 000002
【実用新案登録請求の範囲】
【請求項１】
パンティーストッキング（１）において、左右の足先部（２）のそれぞれ踵部分（２ａ）を残して、爪先方向（２ｂ）部分を、それぞれカットしたことを特徴とするパンティーストッキングの足部構造。
【考案の詳細な説明】
【技術分野】
【０００１】
この考案は、パンティーストッキングの足部構造に関する。  
【背景技術】
【０００２】
従来より、パンティーストッキングは、腰までおおう、タイツ型のストッキングであり、パンストとも呼ばれており、これを履くことにより、ストッキングとパンティーとを一度で装着することができ、大変便利な下着である。
【０００３】
このパンティーストッキングは、パンティーとソックスとが一体的に連続しており、保温効果も高いものであるが、冬期においては、このパンティーストッキングでも寒く、足が冷えるため、ストッキング、ソックスあるいはハイソックス等を、パンティーストッキングの上から重ね履きをして寒さに対抗している。
【０００４】
しかし、このパンティーストッキングとソックスとを重ね履きをする際、パンティーストッキングの上からソックス等を履くため、爪先部の重ね履きがうまくできず、爪先部に違和感があり、履き心地のよいものではなかった。
【０００５】
さらに、近年、水虫対策のため等の指先の分かれたソックスがあり、このソックスは、さらに履き心地のよいものであるが、このソックスをパンティーストッキングと重ね履きすると、さらに、足先部の感触がより悪いものであった。
【０００６】
それに対して、足首までのタイツ（スパッツとも呼ぶ）があるが、足首部付近が丈夫なように二重となっており、これにソックスを装着しても、足先の部分は問題はなくなるが、足首部の重合した部分が、さらに三重となり、近年の足首部の細いジーンズタイプのパンツであれば、益々、履き心地が悪いし、そのため、短いソックスを履くと、スパッツとそのソックスとの間に隙間が生じ、寒く感じるものであった。
【考案の開示】
【考案が解決しようとする課題】
【０００７】
そこで、本願出願人の解決しようとする問題点は、パンティーストッキングでありながら、ソックスを重ね履きしてもすっきりとするパンティーストッキングの足部構造を開発・提供することにある。
【課題を解決するための手段】
【０００８】
このため、この考案は、パンティーストッキングの足部に、工夫・改良を加えることにより、ソックスを重ね履きしても、履き心地のよいパンティーストッキングの足部構造をとしたものである。
【考案の効果】
【０００９】
この考案によると、パンティーストッキングの左右の足先部の踵部分を残して、爪先方向部分をカットしたことにより、パンティーストッキングの残した踵部分とソックスの踵部が重合しても摩擦によりしっかりとフィットしており、また、爪先部がカットしてあるため、ソックスを重ね履きしても指先の部分でも履き心地がよく、特に、指先の分かれたソックスを重ね履きした場合には、実際には一重の状態であるからすっきりしており、極めて有益なる効果を奏するものである。
【考案を実施するための最良の形態】
【００１０】
次に、この考案の最適な実施例を詳述すると、パンティーストッキングであって、左右の足先部のそれぞれ踵部分を残して、爪先方向部分をそれぞれカットしたものである。
【実施例】
【００１１】
この考案の一実施例を図面に従って詳述すると、パンティーストッキング（１）において、左右の足先部（２）の踵部分（２ａ）を残して、爪先方向（２ｂ）部分を、それぞれカットしたことを特徴とするパンティーストッキングの足部構造から構成されるものである。
【００１２】
尚、足先部（２）のカットする箇所を、より詳細に説明すると、左右の足先部（２）のそれぞれ踵部分（２ａ）と、爪先部（Ａ）に向かう底部の直線（Ｘ）に対して、約１／３の部分（Ｃ）から直角なライン（３ａ）方向に中途までカットし、さらに、それぞれの左右の足先部（２）の足首部（Ｂ）から爪先部（Ａ）に続く甲側の直線（Ｙ）に対して、やはり直角なライン（３ｂ）方向に、かつ、前記の直角なライン（３ａ）との交点（Ｚ）までカットするものである。尚、足先部（２）をカットした形状を図３に示す。
【産業上の利用可能性】
【００１３】
この考案のパンティーストッキングの技術を確立し、かつ、このパンティーストッキングを実施・販売することにより産業上の利用可能性がある。
【図面の簡単な説明】
【００１４】
【図１】この考案の一実施例を示す正面図である。
【図２】この考案の一実施例を示す一部欠截拡大正面図である。
【図３】この考案の一実施例を示す一部欠截拡大斜視図である。
【符号の説明】
【００１５】
１  パンティーストッキング
２  足先部
２ａ  踵部分
２ｂ  爪先方向
３ａ  ライン
３ｂ  ライン
Ｘ  踵部分から爪先部に続くパンティーストッキングの底部の直線
Ｙ  足首部から爪先部に続くパンティーストッキングの甲の直線
Ｚ  交点
【図１】
0003142210.tif 000003
【図２】
0003142210.tif 000004
【図３】
0003142210.tif 000005
(57)【要約】      （修正有）【課題】装着位置がずれたり、編地に損傷を来たすことのない鳩目ボタンのような装飾品を備えた靴下を提供する。【解決手段】鳩目ボタン等の装飾品を装着して成る靴下の構成において、当該装着相当位置の編組織をミス編組織とした鳩目ボタン装着位置の編組織を予め粗な組織であるミス編としているため、鳩目ボタンの凸面の挿入がスムーズであり、よって、その作業において生地に破れや損傷を生じることがない。また、その編組織が目印となって装着位置を間違えることがなく、作業効率、生産性を高めることができる。【選択図】図３
0003142268.tif 000002
【実用新案登録請求の範囲】
【請求項１】
鳩目ボタン等の装飾品を装着して成る靴下の構成において、当該装着相当位置の編組織をミス編組織としたことを特徴とする靴下。
【考案の詳細な説明】
【技術分野】
【０００１】
本考案は、鳩目ボタンのような装飾品を備えた靴下の提供に関する。
【背景技術】
【０００２】
従来より、靴下の側面に装飾品としてのワンポイント柄を編み込んだり、ワッペン等を縫着したり、接着したものが知られる。
また、凹面、凸面を１組としたボタン式の鳩目ボタンを装飾品として備えたものも散見される。
更に、本考案に近い構成としてボタン止め用の穴を設けたものもある。
【０００３】
【特許文献１】実開昭６３−１３１７０６号公報
【考案の開示】
【考案が解決しようとする課題】
【０００４】
かかる鳩目ボタン式の場合、靴下編成後に装着するため位置がずれたり、或いは、編地を介して凹面、凸面を押し当てて一体化するため編地に損傷を来たすことがあった。
【課題を解決するための手段】
【０００５】
本考案は、かかる従来の欠点を解消したもので、その特徴とするところは、鳩目ボタン等の装飾品を装着して成る靴下の構成において、当該装着相当位置の編組織をミス編組織としたことにある。
【考案の効果】
【０００６】
本考案によれば、鳩目ボタン装着位置の編組織を予め粗な組織であるミス編としているため、鳩目ボタンの凸面の挿入がスムーズであり、よって、その作業において生地に破れや損傷を生じることがない。また、その編組織が目印となって装着位置を間違えることがなく、作業効率、生産性を高めることができる。
【考案を実施するための最良の形態】
【０００７】
通常、ソックス等を編成する場合、平編組織、ゴム編組織等が一般的である。本考案は、靴下編成時に予め特定の部分（鳩目ボタン装着位置）のみミス編（ウエルト、或いは、浮き編；Float stitchとも称する）となるようコンピュータ等により編機を制御し、これによって常に定位置に同組織を形成させる。
かかるミス編領域は、１〜数ウエール、１〜数コース、或いは、これを組み合わせて形成するが、鳩目ボタンの凸面の挿入がスムーズに行える最小単位とすることが望ましい。    
編組織の一部にミス編が形成される場合、その組織は目視でき、目印となる。
以下、例示した図面によりこれを説明するが、勿論これに限定されるものではない。
【実施例】
【０００８】
図１は、鳩目ボタン１を装着した本考案靴下を示す。また、図２は、ボタン装着位置３を形成した模式図であり、当該部の編組織は、図３に示すように本体部の編組織が平編組織４であるのに対し、ボタン装着位置の編組織が１ウエール目飛びさせたミス編組織５となっている。かかる組織は、前記したコンピュータ制御により形成したものである。
なお、かかるミス編は、更に対応する反体面に設けることも、異なる位置、数を設けることも任意である。
【産業上の利用可能性】
【０００９】
本考案構成によれば、鳩目ボタンによる装飾以外でも編地を挿通させ固定させるような装飾品の装着において、同様の効果が得られるものである。
【図面の簡単な説明】
【００１０】
【図１】鳩目ボタンを装着した本考案斜視図。
【図２】鳩目ボタン装着部分を示した一部切欠斜視図。
【図３】鳩目ボタン装着部分の編組面図。
【符号の説明】
【００１１】
１  鳩目ボタン    
３  ボタン装着位置  
４  平編組織
５  ミス編組織      
【図１】
0003142268.tif 000003
【図２】
0003142268.tif 000004
【図３】
0003142268.tif 000005
(57)【要約】【課題】酒粕を使用した料理をする際に、簡単に酒粕を料理中に加えることができ、かつ長期間保存することのできる押出容器入り酒粕を提供する。【解決手段】低密度ポリエチレン等から形成されるなるスクイズ性を有する中空体からなる容器胴体内に酒粕を収容し、該容器胴体は手指の押圧により変形し、該押圧により容器胴体上部に設けられた吐出口から酒粕が押し出されるようにし、吐出部にはキャップが螺着されることで、容器内が密閉され長期間の保存を可能とした。【選択図】図１
0003142260.tif 000002
【実用新案登録請求の範囲】
【請求項１】
適度な柔軟性を有する樹脂製の容器であって、押圧変形により内容物が吐出される押出容器に収容されていることを特徴とする押出容器入り酒粕。
【請求項２】
前記酒粕が、味噌を混合して練り状にした酒粕であることを特徴とする請求項１記載の押出容器入り酒粕。
【考案の詳細な説明】
【技術分野】
【０００１】
本考案は、押圧変形により内容物が注出されるような押出容器に収容された酒粕に関するものである。
【背景技術】
【０００２】
従来、市販されている酒粕は、ビニール製等の袋に収容されているか、又はプラスチック製のカップに入れられたものが一般的である。したがって、このような酒粕を各種料理に使用する場合は、袋やカップから直接、又は別容器に移した後、適量をおたま等で掬って料理の中に入れて使用している。
【０００３】
また、粕汁用としては、一食器中に酒汁を作ることのできる適当な量をシート材で包んで分包にした酒粕が提案されている。
【特許文献１】実用新案登録第３０８４３３４号公報
【考案の開示】
【考案が解決しようとする課題】
【０００４】
しかしながら、上記のように、従来市販されている酒粕を調理に使用するときは、適量をおたま等で掬って使用しているため、手間がかかり、また、任意の分量を簡単に料理に加えるには不便であった。さらに、袋内の酒粕については、開封後は別容器に移し替えたり、開封した箇所を紐等で縛るなどして、外気になるべく触れないよう保存する必要がある等、非常に不便であった。
【０００５】
尚、適量をシート材に包んで分包したものであっても、一食器中の粕汁を作るのには適しているが、各種料理に加える調味料としての使用には適していない。
【０００６】
そこで、本考案は、調理において、任意分量の酒粕を簡単に料理に加えることができ、さらには、容易に保存することもできる容器入り酒粕を提供することを目的としている。
【課題を解決するための手段】
【０００７】
本考案は、上記課題を解決するためになされたものであり、酒粕が、適度な柔軟性を有する合成樹脂製容器内に収容されていることを特徴としており、当該容器を押圧変形することで、内部に収容されている酒粕を任意の適量を容易に押し出すことができる。また、前記酒粕は、みそを混合して練り状にした酒粕であることを特徴としている。
【考案の効果】
【０００８】
本考案に係る押出容器入り酒粕は、当該容器を押圧変形することで、内部に収容されている酒粕について、任意の量を簡単に注出することができ、酒粕を調味料として各種料理に簡単に加えることが可能となる。
【０００９】
また、使用後はキャップを螺着することにより容器内部を密閉状態することができるため、長期間の保存が可能である。
【００１０】
さらに、前記酒粕を、味噌を混合して練り状にした酒粕とすることで、酒粕と味噌を使用する各種料理において、酒粕と味噌を別々に加える必要がなく、一の作業で簡単に酒粕と味噌を料理に加えることが可能となる。
【考案を実施するための最良の形態】
【００１１】
以下、本考案の実施の形態について、図面を参照して詳細に説明する。
図１及び図２は、本考案の押出容器入り酒粕を示す図であって、本考案に係る押出容器入り酒粕1は、容器胴体３内に酒粕６が収容されており、容器胴体３の上部には吐出口４を有する吐出部７が取り付けられ、キャップ２が容器胴体３の上部に刻設されたねじ部５において螺着されて構成される。
【００１２】
容器胴体３は、例えば低密度ポリエチレン等から形成されるスクイズ性を有する中空体であって、図３に示すように、上部には開口部８を有し、さらに開口部８の下の筒状部には、キャップ２を螺着することのできるねじ部５が刻設されている。
【００１３】
前記容器胴部３内には、開口部８から練り状の酒粕が充填され、酒粕が収容後には、該開口部８に吐出口４を有する樹脂製の吐出部７が嵌合されて取り付けられる。ここで、図４は吐出部７を示す図であり、吐出口４の口径は、開口部８の口径に比して、やや小さくなっている。また、ねじ部５においてキャップ２が螺着されて、容器内が確実に密閉される。
【００１４】
このように、前記容器胴体３は、適度な柔軟性と透明性を有しており、押圧により容易に変形できるため、その押圧により内容物を吐出口4から押し出すことが容易にできるとともに、内容物の量や状態を容易に視認することもできる。
【００１５】
本考案に係る押出容器入り酒粕を使用する場合は、まず、キャップ２をはずし、吐出口４を下に向けながら手指により押圧することで内容物たる酒粕が押し出されて、調理中の食材の中に任意の量の酒粕が加えられる。このように、本考案に係る押出容器入り酒粕を使用すれば、酒粕を調味料として簡単に料理に使用できるため、さまざまな料理に使用されることが期待される。
【００１６】
また、内容物としての酒粕に代わり、酒粕と味噌を混合して練り状にした味噌入り酒粕とすれば、酒粕と味噌をともに使用する料理において、簡単にこれらを料理内に加えることができ、各種料理を容易作ることが可能となる。
【図面の簡単な説明】
【００１７】
【図１】本実施形態に係る押出容器入り酒粕を示した図である。
【図２】本実施形態に係る押出容器入り酒粕であって、キャップをはずした状態を示した図である。
【図３】本実施形態に係る容器胴体を示した図である。
【図４】本実施形態に係る吐出部を示した図である。
【符号の説明】
【００１８】
１    押出容器入り酒粕
２    キャップ
３    容器胴体
４    吐出口
５    ねじ部
６    酒粕
７    吐出部
８    開口部
【図１】
0003142260.tif 000003
【図２】
0003142260.tif 000004
【図３】
0003142260.tif 000005
【図４】
0003142260.tif 000006
(57)【要約】      （修正有）【課題】ラーメン、うどん、そば等の麺類を挟持し易くする箸を提供する。【解決手段】箸本体１の先端側挟持部２の周面に細溝４を設けた箸であって、前記細溝４を箸本体１の長手方向に沿って設けることによって、麺類を食する際、細溝４と麺類とを交差させ、細溝４、の開口部両脇の角部５、５ａを麺類に食込ませて、引っ掛けさせ、麺類の落下を防止する。【選択図】図１
0003142259.tif 000002
【実用新案登録請求の範囲】
【請求項１】
箸本体の先端側挟持部の周面に細溝を設けた箸であって、前記細溝を箸本体長手方向に沿って設けたことを特徴とする箸。
【請求項２】
細溝を複数本並列配設したことを特徴とする請求項１記載の箸。
【考案の詳細な説明】
【技術分野】
【０００１】
本考案は、ラーメン、うどん、そば等の麺類を挟持し易くした箸に関する。
【背景技術】
【０００２】
従来より、箸本体の先端側挟持部の周面に細溝を複数本設けた箸が見受けられ、前記細溝は箸本体周方向に沿って設けられていた（特許文献１及び２を参照）。
この様な箸は、調理物を挟持したとき、細溝の開口部両脇の角部を調理物に食込ませて引っ掛けることで、挟持された調理物の落下を防止する様にしたものであった。
【０００３】
【特許文献１】意匠登録第１３１０４２６号公報（斜視図等）
【特許文献１】意匠登録第１３１８１８０号公報（斜視図等）
【考案の開示】
【考案が解決しようとする課題】
【０００４】
ところが、上記背景技術に記載の箸は、細溝が箸本体周方向に沿って設けられてることから、例えば、ラーメン、うどん、そば等の麺類を食する時には，細溝と麺類とが平行になって、細溝の開口部両脇の角部に麺類が掛からず、落下防止効果が得られなかった。
【課題を解決するための手段】
【０００５】
本考案は、箸本体の先端側挟持部の周面に細溝を設けた箸であって、前記細溝を箸本体長手方向に沿って設けることによって、細溝と麺類とを交差させる様にして、上記課題を解決する。
【考案の効果】
【０００６】
要するに本考案は、箸本体の先端側挟持部の周面に細溝を設けた箸であって、前記細溝を箸本体長手方向に沿って設けたので、麺類を食する際，箸を寝かせて用いても、細溝と麺類とが交差することにより、細溝の開口部両脇の角部を麺類に食込ませて、引っ掛けさせ、麺類の落下を防止することが出来る。
従って、老人や幼子でも、麺類を具合良く食することが出来るだけではなく、箸使いの不得手な者でも麺類の食事が容易となる。
【０００７】
細溝を複数本並列配設したので、上記角部が増えて、更に掛かりが良くなり、麺類の挟持がより容易となる等その実用的効果甚だ大である。
【考案を実施するための最良の形態】
【０００８】
以下、本考案の箸につき、実施例を示し詳細に説明する。
図１〜図３に示す様に、本考案の箸は、棒状の箸本体１の先端側を調理物の挟持部２とし、後端側を人が持つ把持部３としており、先端側挟持部２の周面に細溝４、4a…を設けた箸である。
細溝４、4a…は、箸本体１の長手方向に沿って設けられ、複数本の細溝４、4a…が並列状態にて配設されている。
尚、図１〜図３に示す箸は、挟持部２を四角錐形状に形成し、周面を構成する各平面に細溝４、4a…を一本ずつ設けているが、例えば、図４〜図６に示す様に、挟持部２を五角錐形状、六角錐形状又は八角錐形状とし、各平面に細溝４、4a…を設ける様にして良く、要するに、細溝４、4a…が箸本体１の長手方向に沿って設けられていれば、挟持部２の外形については問わない。
【０００９】
一般に、調理物を箸にて食する際には、箸先にて調理物を挟持した後、箸を寝かせつつ箸先を口元へと運ぶが、麺類の場合、箸を寝かせると、垂下状態の麺類と箸が直交し、接触面積が減少するため、麺類の荷重が集中し、また麺類の表面が滑らかで湿潤していることから、麺類は箸から滑落し易くなるが、本考案の箸によれば、箸本体１の長手方向に沿って細溝４、4a…が設けられているため、麺類に細溝４、4a…の開口部両脇の角部５、5aが食込み、この角部５、5aに麺類が掛かると共に、角部５、5aに挟持力が集中し、麺類は強く保持され、落下しない。
【図面の簡単な説明】
【００１０】
【図１】本考案に係る箸であり挟持部が四角錐形状の箸の正面図である。
【図２】図１のＡ−Ａ断面拡大図である。
【図３】図１のＢ−Ｂ断面部分拡大図である。
【図４】挟持部が五角錐形状の箸の要部断面拡大図である。
【図５】挟持部が六角錐形状の箸の要部断面拡大図である。
【図６】挟持部が八角錐形状の箸の要部断面拡大図である。
【符号の説明】
【００１１】
１        箸本体
２        挟持部
４、4a…  細溝
５、5a    角部
【図１】
0003142259.tif 000003
【図２】
0003142259.tif 000004
【図３】
0003142259.tif 000005
【図４】
0003142259.tif 000006
【図５】
0003142259.tif 000007
【図６】
0003142259.tif 000008
(57)【要約】      （修正有）【課題】成型時の伸張性に優れ、製造後は耐力強度と防錆性を発揮できる波板構造を提供する。【解決手段】波板１は主に網孔を備える不織布層１１内に石粉と樹脂とを撹拌した粘着状液体を滲み込ませ、乾燥させた後に一体に結合させたものである。前記不織布層１１内の網孔の直径は石粉の最大直径より大きく、網孔内に石粉と樹脂を撹拌した粘着状液体を完全に滲み込ませ、乾燥成型する。このようにして成型すると、前記不織布層１１の織線は相互に絡まり、しかもすべての網孔内には粘着状液体を構成する石粉と樹脂が充満しているため、波板１の伸張性は最適である。【選択図】図１
0003142218.tif 000002
【実用新案登録請求の範囲】
【請求項１】
主に不織布層と石粉と樹脂とにより構成され、
前記不織布層はその直径が石粉の最大直径より大きい網目を備え、
前記網目内には石粉と樹脂とを撹拌した粘着状液体を滲み込ませたことを特徴とする、
波板構造。
【請求項２】
前記波板の表層に結合可能な焼付け塗装層を具備することを特徴とする、請求項１記載の波板構造。
【考案の詳細な説明】
【技術分野】
【０００１】
本考案は波板構造に関し、特に不織布、石粉、樹脂により組成する耐酸・アルカリおよび防錆効果を備え、伸張性に優れた波板構造に関するものである。
【背景技術】
【０００２】
これまで家屋等の屋根は風雨を遮るためアスベスト瓦により覆蓋してきたが、アスベストは人体に有害であるため、徐々に市場から排除されている。
アスベスト瓦に代わって、金属製の波板が使用されているが、金属製の波板は製造コストが高く、さらに一定期間の使用後は、その表層に錆を生じる。
しかも金属製の波板は防音効果が低いため、雨が降ると耐え難い騒音を引き起こし、加えて断熱性も低いため、夏季は陽光に曝されると吸収した熱を屋内に導熱し、屋内の温度が発散しにくくなってしまう。
これに対して、業者は前記金属製波板の底端にスポンジ層を加える構造を開発した。
前記スポンジ層の設置により、熱を遮り、防音の効果を達成することができる。
しかしながら、前記スポンジ層は長期間、寒暖の差により膨張と収縮を繰り返すと、その材質そのものが変化し、徐々に分解して粉末（灰）になり室内に飛散する。
これでは再び空気汚染と人体の呼吸器に対する危険を招いてしまう。
【考案の開示】
【考案が解決しようとする課題】
【０００３】
本考案はアスベスト瓦と金属製波板が引き起こす問題を解決するために成されたものである。
出願人は建材、金物に対する知識に基づきアスベスト瓦と金属製波板が引き起こす問題を深く理解し、積極的に研究改良を行ない、既存の波板の製造を改変し、防音、断熱を達成し、しかも公害を発生することのない波板を開発し、多くのテストと改良を経てついに本考案の開発に成功したものである。
【課題を解決するための手段】
【０００４】
上記課題を解決するため、本考案は下記の波板構造を提供する。
波板構造は不織布と石粉及び樹脂を結合することで、耐酸/アルカリ及び防錆を達成する。
また、前記波板構造は不織布と石粉及び樹脂を結合することで、伸張性を最適とすることができる。
【考案の効果】
【０００５】
上記のように、本考案は不織布層そのものが備える網孔内に、石粉と樹脂を完全に滲み込ませ、伸張性、耐酸/アルカリ、防錆効果を備える波板構造を形成することができる。
公知の防音、断熱効果が低い金属製波板に比べて、機能上の進歩は格段である。
【考案を実施するための最良の形態】
【０００６】
以下に図面を参照しながら、本考案の最良な実施形態について詳細に説明する。
図１に示すように、本考案に係る波板１は、主に網孔を備える不織布層１１内に石粉と樹脂とを撹拌した粘着状液体を滲み込ませ、乾燥させた後に一体に結合させたものである。
前記不織布層１１内の網孔の直径は石粉の最大直径より大きい。
前記不織布層１１の網孔内に石粉と樹脂を撹拌した粘着状液体を完全に滲み込ませ、乾燥成型する(乾燥成型は必要な波板の形状に基づいて一体成型する)。
このようにして成型すると、前記不織布層１１の織線は相互に絡まり、しかもすべての網孔内には粘着状液体を構成する石粉と樹脂が充満しているため、波板１の伸張性は最適である。
したがって、施工者が完成した波板１の上を踏んで施工しても、それに耐えることができ、しかも内部の樹脂と石粉の結合により、波板１の表層は耐酸/アルカリ性能を備えるため、海洋性気候による錆の発生を減少させることができる。
さらに図２に示すように、本考案の最適実施例では、前記波板１の表層には焼付け塗装層１２を結合させることができる。
波板１の表層に焼付け塗装層１２を結合することにより、防紫外線効果を備えた波板１を得ることができる。
【図面の簡単な説明】
【０００７】
【図１】本考案に係る波板の立体外観指示図である。
【図２】本考案に係る波板の好適な実施例である。
【符号の説明】
【０００８】
１      波板
１１    不織布層
１２    焼付け塗装層
【図１】
0003142218.tif 000003
【図２】
0003142218.tif 000004
(57)【要約】      （修正有）【課題】女子用のベットとして女子の心に感心をもたせる形状としたベットを提供する。【解決手段】ベットの外観をハート型に形成し、自分好みの色としたり、アクセサリーを付けることで幸せな夢見る眠りを得ることができる。【選択図】図１
0003142233.tif 000002
【実用新案登録請求の範囲】
【請求項１】
一定の厚みを有し、平面形状の外観がハート型に形成されたベット床及びマット。
【考案の詳細な説明】
【技術分野】
【０００１】
本考案は、外観がハート型をした女児用のベットの床及びマットに関する。
【背景技術】
【０００２】
一般にベットは長方形の形状をしているのが普通であるが女子も小学校の高学年位の年になると一人部屋を欲しがり独立する傾向が見られるが、この際の寝室としては殆どがベットを希望している。そこで与えられるベットは一般的なベットであっても何の変化もなく、ただ寝室の中の装飾を女の子らしく可愛く飾りつける。
【特許文献１】特開２００６−２３０４９４号公報
【考案の開示】
【考案が解決しようとする課題】
【０００３】
本考案者は、この初めての自分の部屋を赤やピンクで飾るだけで満足できずに、外に何か女らしさで飾ることを探している。
【課題を解決するための手段】
【０００４】
考案者は、この点に鑑み鋭意研究を重ね、女子の心のうちを察して本考案のハート型のベット（１）を思いついた。
【０００５】
図１に示されているハート型のベット（１）は、女子の心に感心をもたせる形状で、ベットの色を赤色やピンク色とすることによって一層の興味をもって使用され、可愛い夢を結ぶことうけあいである。
【考案の効果】
【０００６】
本考案は、若い女子のあこがれるハート型をベットに採用することによって、室の雰囲気が華やかとなり、このベットで休むことによって可愛い夢を見ながら眠りにつけ、幸せな夜が過せることで精神的にも楽しくなり、このベットによる生活環境に及ぼす効果は大きい。
【実施例】
【０００７】
添付図面により本考案を説明すると、図１はハート型ベット（１）の平面図を示し、図２は同断面図を示している。図中（２）はマットを示し、（３）はベット台を示していて共に平面ハート型を呈している。
【０００８】
そしてこのハート型ベット（１）は、色を赤やピンクとすることによって夢は大きく広がり楽しい眠りにつくことができる。
【０００９】
またこのハート型ベット（１）は、比較的幅広であるため、ハート型の上部に枕を２ヶ並べることによって２子用のベットとしても適し、さらには若い２人用としても使用が可能であり、使用方法は様々である。
【産業上の利用可能性】
【００１０】
本考案のハート型ベットは女子用として使用した場合、女児用の小形のものから大人のものまで女子の間で色を変えたり、装飾を付けることによって人気が高まること受け合いである。
【図面の簡単な説明】
【００１１】
【図１】ベットの平面図
【図２】ベットの断面図
【符号の説明】
【００１２】
１  ハート型ベット
２  ベット用マット
３  ベット台
【図１】
0003142233.tif 000003
【図２】
0003142233.tif 000004